(57)【要約】  本明細書に述べられる本発明の一具体例は、流体吐出装置を含む。この装置は、容器と流体吐出機構とを有し、流体吐出機構は、変形可能部分を含む本体と、変形可能部分に対して環状である剛体部分と、剛体の側壁とを有し、変形可能部分、剛体環状部分、及び剛体側壁が、容器から使用者に流体を供給する機構を収容する。
2009525235.tif 000002
【特許請求の範囲】
【請求項１】
容器とスプレー機構とを有するスプレー装置において、前記スプレー機構が、
変形可能部分を含む本体と、
前記変形可能部分に対して環状である剛体部分と、
剛体側壁と
を有し、前記変形可能部分、剛体環状部分、及び剛体側壁が、前記容器から使用者に物質を供給する機構を収容している、スプレー装置。
【請求項２】
前記変形可能部分がエラストマーを含む、請求項１に記載されたスプレー装置。
【請求項３】
前記変形可能部分が、オーバー・キャップの頂部に配置され、前記オーバー・キャップの側壁まで延在する、請求項１に記載されたスプレー装置。
【請求項４】
前記変形可能部分に対して環状である前記剛体部分が、前記スプレー装置からスプレーを供給する穴を形成している、請求項１に記載されたスプレー装置。
【請求項５】
前記変形可能部分が、使用者の指からの力を受けるのに効果的な面積を有する、請求項１に記載されたスプレー装置。
【請求項６】
前記容器に収容されたパーソナルケア流体をさらに含む、請求項１に記載されたスプレー装置。
【請求項７】
前記パーソナルケア流体が発汗抑制剤である、請求項６に記載されたスプレー装置。
【請求項８】
前記容器に収容された医薬品流体をさらに含む、請求項１に記載されたスプレー装置。
【請求項９】
容器と流体吐出機構とを有する流体吐出装置において、前記流体吐出機構が、
変形可能部分を含む本体と、
前記変形可能部分に対して環状である剛体部分と、
剛体側壁と
を有し、前記変形可能部分、剛体環状部分、及び剛体側壁が、前記容器から使用者に流体を供給する機構を収容する、流体吐出装置。
【請求項１０】
前記変形可能部分がエラストマーを含む、請求項９に記載された流体吐出装置。
【請求項１１】
前記変形可能部分が、オーバー・キャップの頂部に配置され、前記オーバー・キャップの側壁まで延在する、請求項９に記載された流体吐出装置。
【請求項１２】
前記変形可能部分に対して環状である前記剛体部分が、前記流体吐出装置からスプレーを供給する穴を形成している、請求項９に記載された流体吐出装置。
【請求項１３】
前記変形可能部分が、使用者の指からの力を受けるのに効果的な面積を有する、請求項９に記載された流体吐出装置。
【請求項１４】
前記容器に収容されたパーソナルケア流体をさらに含む、請求項９に記載された流体吐出装置。
【請求項１５】
前記パーソナルケア流体が発汗抑制剤である、請求項１４に記載された流体吐出装置。
【請求項１６】
前記容器に収容された医薬品流体をさらに含む、請求項９に記載された流体吐出装置。
【請求項１７】
流体吐出装置から流体を供給する方法において、
前記流体吐出装置から流体をスプレーするために使用者が変形可能部分に接触するのに効果的である、エラストマーを含む前記変形可能部分を前記流体吐出装置に取り付ける段階を含む、流体を供給する方法。
【請求項１８】
前記吐出装置から流体を供給するために、前記使用者が前記変形可能部分の任意の場所に接触する、請求項１７に記載された流体を供給する方法。
【請求項１９】
前記変形可能部分が、前記スプレー吐出装置のオーバー・キャップに配置されている、請求項１７に記載された流体を供給する方法。
【請求項２０】
前記変形可能部分が前記オーバー・キャップの頂部に配置され、前記オーバー・キャップの側壁まで延在する、請求項１９に記載された流体を供給する方法。
【発明の詳細な説明】
【技術分野】
【０００１】
本明細書に述べられる本発明の具体例は、加圧式スプレー容器の収容体に関するものである。
【０００２】
著作権
本特許文献の開示の一部は、著作権保護の請求がなされる材料を含む。著作権所有者は、米国特許商標庁の書類又は記録に記載される特許文献又は特許開示の任意の人による複製複写には異議はないが、その他の全ての権利を保有する。著作権２００６年、２００７年Ｃｏｔｙ社。
【発明の開示】
【課題を解決するための手段】
【０００３】
本発明の例示的具体例の以下の詳細な説明では、図面及び図解によって特定の例が参照される。これらの例は、当業者が本発明を実施できるように十分に詳細に説明され、本発明が様々な目的又は実施例にどのように適用され得るかを例示する働きをする。本発明には他の実施例が存在し、それらは本発明の範囲内にあり、本発明の主題又は範囲から逸脱することなく、論理的、機械的、化学的、及びその他の変更を行うことができる。本明細書に述べられる本発明の様々な具体例の特徴又は限定は、この実施例が援用される実施例にとっては重要であるが、本発明を全体としては限定せず、本発明、本発明の要素、操作、及び用途へのいかなる言及も、本発明を全体としては限定せず、これらの実施例を定義する働きのみをする。したがって、以下の詳細な説明は本発明の範囲を限定せず、本発明の範囲は添付の特許請求の範囲のみによって定義される。
【実施例】
【０００４】
本発明の具体例のうちの１つが図１に符号１０で示される。これは、加圧式の吐出装置に連結されるように構成されたオーバー・キャップ１２を含む。加圧式吐出装置１４は容器１６を含み、その上に、弁軸２０を備えた手動で操作できる吐出弁１８が装架される。弁軸２０は、図３の内面図に示される弁作動部材２２によって作動させられる。作動時には、弁軸により、容器からオーバー・キャップ１２を介して物質の放出が起こる。
【０００５】
本発明のオーバー・キャップ１２の具体例は、弁作動部材２２が弁軸２４を含み、弁軸２４に取り付けられたオーバー・キャップの内部チャネル２８に対する連結部を有するタイプのものである。枢動式の連結部は、頂壁３０の変形可能部分２９によって接近できる作動面２６を含む。
【０００６】
本明細書に述べられるオーバー・キャップの具体例１２は、変形可能部分２９と変形可能部分２９を取り囲む実質的に剛体の部分３０とを備えた頂壁３０を含む。オーバー・キャップ１２は、環状の側壁３２をも含む。頂壁３０はある角度で斜め下向きに延在する。環状の側壁３２は頂壁３０と接して、高さの変化する環状の側壁３２を形成する。頂壁３０の変形可能部分２９は、頂壁の周囲の領域３１以外のすべてを覆っている。いくつかの具体例では、周囲の領域３１は、実質的に剛体である。一例では、頂壁３０の変形部分２９は、３７のところで環状の側壁へと延びている。いくつかの例では、頂壁３０の変形可能部分２９及び３７のところの環状の側壁は、軟質の記憶膜からなる。軟質の記憶膜はエラストマーであり、多数回の使用サイクルによって変形された後に、未変形の状態に戻ることができる。
【０００７】
また、オーバー・キャップ１０は、図３に示される弁作動タブ４２が枢動可能に取り付けられる開口部４０をも備える。この開口部４０は、オーバー・キャップ１０の剛体の環状側壁３２内に配置される。
【０００８】
容器１６が使用者の手に保持され、容器１６から物質を吐出しようとする際、本明細書に述べられたオーバー・キャップの実施例によれば、変形可能な頂壁２９又は側壁３７の変形可能部分へ、人の指が容易にかつ首尾よく接近できるようになる。
【０００９】
一例では、使用者が頂壁３０の変形可能部分２９を押すと、図３に示されるように、下向きの力が、変形可能な頂壁を越えて内壁４２まで伝播される。内壁４２も下向きに動かされる。これが、弁軸２４に連結された弁を開く。弁が開くと、吐出装置４４からの液体が吐出される。オーバー・キャップ１０は、使用者の指から液体吐出装置まで力を伝播する他の機構を備えて使用できると考えられる。
【００１０】
いくつかの具体例では、オーバー・キャップ１０は発汗抑制剤を吐出するために用いられる。その他の例では、髭剃り用及び保湿用の調合剤、シャンプー及びコンディショナー、さらには洗剤及び保湿剤を吐出する用途を有する。オーバー・キャップ１０の具体例は、パーソナルケア流体、ホームケア流体、産業用及び施設用の流体、医薬品流体、織物用流体などを吐出するなどの多数の他の吐出の用途を有する。
【００１１】
オーバー・キャップ１０によって吐出可能である様々なパーソナルケア流体の例は、シャンプー（たとえばベビー・シャンプー、コンディショニング・シャンプー、ボディファイイング・シャンプー、保湿シャンプー、一時染毛シャンプー、３イン１シャンプー、ふけ防止シャンプー、染毛維持シャンプー、酸性（中和）シャンプー、サリチル酸シャンプー）、皮膚及び体用の洗浄剤（たとえば保湿ボディ・ウオッシュ、抗菌ボディ・ウオッシュ、消臭ボディ・ウオッシュ、入浴ジェル、シャワー・ジェル、手用石鹸、固形石鹸、体用スクラブ、泡入浴剤、顔用スクラブ、足用スクラブ）、クリーム及びローション（たとえばアルファヒドロキシ酸ローション及びクリーム、ベータヒドロキシ酸クリーム及びローション、皮膚美白剤、セルフ日焼けＩローション、日焼け止めローション、保護ローション、保湿剤、整髪用クリーム、ビタミンＣクリーム、液体タルク製品及び抗菌ローション、及び他の保湿ローション及びクリーム）、皮膚用及び髪用ジェル（たとえば顔用マスク、体用マスク、ヒドロアルコール・ジェル、髪用ジェル、体用ジェル、日焼け止めジェル）など、並びに永久染毛などの他のパーソナルケア用途などの製品を含む。
【００１２】
オーバー・キャップ１０を使用して吐出できるホームケア流体の例は、洗濯用洗剤、食器洗い用洗剤（自動及び手動）、硬質表面洗浄剤、手用の石鹸、洗浄剤及び殺菌剤、艶出し剤（靴、家具、金属など）、自動車用のワックス、艶出し剤、プロテスタント（ｐｒｏｔｅｓｔａｎｔ）及び洗浄剤などのホームケア流体並びに産業用及び施設用の流体などの流体を含む。
【００１３】
オーバー・キャップ１０によって吐出できる医薬品流体の例としては、クリーム、ローション、軟膏、又はジェルの形態の局所用製剤を含み、この製剤は、薬剤学的作用物質の担体として、又は皮膚浸透向上剤の担体として、又は審美的効果を有する相の担体として使用でき、或いは薬剤学上のＩ作用物質の可溶性若しくは生物学的利用能を向上させることができる。
【００１４】
また、オーバー・キャップの実施例１０は、輸送の際に容器１４及び容器内の加圧された内容物を安定させる。
【００１５】
言及された以外の本発明の実施例の他の特徴は、上記に詳述された説明及び添付の特許請求の範囲を添付の図面と併せて読むことにより明らかとなろう。
【００１６】
添付の図面は、本発明の実用的な一実施例を示すが、本明細書に示された構造は例示のみであり、本発明の限定を定義するものではないと理解されたい。
【図面の簡単な説明】
【００１７】
【図１】本発明のオーバー・キャップの具体例の斜視図。
【図２】本発明のオーバー・キャップ及び容器組立体の斜視図。
【図３】本発明のオーバー・キャップの具体施例の内面図。
【図４】本発明のオーバー・キャップの具体例の別の斜視図。
【図１】
2009525235.tif 000003
【図２】
2009525235.tif 000004
【図３】
2009525235.tif 000005
【図４】
2009525235.tif 000006
【国際調査報告】
2009525235.tif 000007
2009525235.tif 000008